(57)【要約】【課題】複数台の画像形成装置のうち１台以上の画像形成装置にて、複数の光源のうち１個以上の光源の故障が発生した場合に、画像形成システムが停止する点である。【解決手段】複数台の画像形成装置のうち１台以上の画像形成装置にて、複数の光源のうち１個以上の光源の故障が発生した場合に、１個以上の光源の故障が発生した場合に、光の主走査方向の走査速度と光源を点灯させる画像信号の周波数は変更せずに画像形成速度を遅くした画像形成装置に合せて各画像形成装置の光源数と配置を決定し、画像形成速度を遅くして画像形成を行う。或いは、各画像形成装置の選択可能な光源数と配置に応じて、各画像形成装置の光の主走査方向の速度と各画像形成装置の光源を点灯させる画像信号の周波数を増大させて、画像形成速度を変更せずに画像形成を行う。【選択図】  図１
2010014990.tif 000002
【特許請求の範囲】
【請求項１】
複数の光源と、任意の選択された光源を駆動する光源駆動部と、光源が故障したことを検知する故障検知部とを有し、１個以上の光源から出力された光により画像を形成する複数台の画像形成装置と、
故障した光源の個数と配置に対応して使用する光源を選択する光源選択部を有し、複数台の各画像形成装置を同期させながら画像形成を行う画像形成制御装置とを備えた画像形成システムにおいて、
前記複数台の画像形成装置のうち１台以上の画像形成装置にて、複数の光源のうち１個以上の光源の故障が発生した場合に、選択可能な光源数の少ない画像形成装置の画像形成速度に合せて、各画像形成装置の光源の個数と配置を決定して画像形成を行うことを特徴とする画像形成システム。
【請求項２】
複数の光源と、任意の選択された光源を駆動する光源駆動部と、光源が故障したことを検知する故障検知部と、光の主走査方向の走査速度を可変可能な駆動部とを有し、１個以上の光源から出力された光により画像を形成する複数台の画像形成装置と、
故障した光源の個数と配置に対応して使用する光源を選択する光源選択部と、選択した光源からの光の主走査方向の走査速度を可変可能な駆動部と、前記選択部により選択された光源の数に応じて光源を点灯させる画像信号の周波数を可変可能な画像周波数生成部を有し、複数台の画像形成装置を同期させながら画像形成を行う画像形成制御装置とを備えた画像形成システムにおいて、
前記複数台の画像形成装置のうち１台以上の画像形成装置にて、複数の光源のうち１個以上の光源の故障が発生した場合に、各画像形成装置の選択可能な光源数に応じて、各画像形成装置の光の主走査方向の走査速度を可変させるとともに、光源を点灯させる画像信号の周波数を可変させることを特徴とする画像形成装置システム。
【請求項３】
前記光源の故障を検知したときに、故障した光源の個数、配置、画像形成装置番号をユーザに通知する通知手段と、画像形成システムの販売・製造メーカに通知する通知手段とを有することを特徴とする請求項１または請求項２に記載の画像形成装置システム。
【発明の詳細な説明】
【技術分野】
【０００１】
本発明は、複数の光源から出力された光により画像を形成する複数台の画像形成装置と、その複数台の各画像形成装置を同期させながら画像形成を行う画像形成制御装置とを備えた画像形成システムに関するものである。
【背景技術】
【０００２】
複数の光源から出力された光により画像を形成する一台の画像形成装置において、複数の光源のうち１個以上の光源の故障が発生した場合に、故障していない光源を用いて画像形成を行う画像形成装置が提案されている。
【０００３】
そのうちの１つの方法として、複数の光源の各々が出射する光の光量、または光源の駆動電流を検出して故障を判断し、故障の場合に故障した光源の個数、配置に対応して使用する光源を選択して、選択した光源の光の主走査方向の走査速度と、各画像形成装置の光源を点灯させる画像信号の周波数は変更せずに、画像形成速度を遅くして画像形成を行う方法がある（例えば、特許文献１参照）。
【０００４】
また、別の方法として、複数の光源の各々が出射する光の光量または光源の駆動電流を検出して故障を判断し、故障の場合には故障した光源の個数、配置に対応して使用する正常な光源を選択して、選択した光源の光の主走査方向の走査速度と、各画像形成装置の光源を点灯させる画像信号の周波数を増大させることにより、画像形成速度を変更せず画像形成を行う方法がある（例えば、特許文献２参照）。
【０００５】
一方、複数の光源から出力された光により画像を形成する複数台の画像形成装置と、複数台の各画像形成装置を同期させながら画像形成を行う画像形成制御装置を備えた画像形成システムにおいて、複数台の画像形成装置のうち１台以上の画像形成装置にて、複数の光源のうち１個以上の光源の故障が発生した場合には、画像形成システムの動作を停止してユーザに交換を通知するのが一般的であった。
【０００６】
【特許文献１】特開平１１−４８５２８号公報
【特許文献２】特開平２０００−１８０７５１号公報
【発明の開示】
【発明が解決しようとする課題】
【０００７】
解決しようとする問題点は、複数の光源から出力された光により画像を形成する複数台の画像形成装置と、複数台の各画像形成装置を同期させながら画像形成を行う画像形成制御装置を備えた画像形成システムにおいて、複数台の画像形成装置のうち１台以上の画像形成装置にて、複数の光源のうち１個以上の光源の故障が発生した場合に、画像形成システムが停止する点である。
【０００８】
本発明の目的は、このような従来技術の欠点を解消し、高速印刷，高稼働率，高画質の安定稼動を維持できる画像形成システムを提供することにある。
【課題を解決するための手段】
【０００９】
前記目的を達成するため本発明の第１の手段は、複数の光源と、任意の選択された光源を駆動する光源駆動部と、光源が故障したことを検知する故障検知部とを有し、１個以上の光源から出力された光により画像を形成する複数台の画像形成装置と、故障した光源の個数と配置に対応して使用する光源を選択する光源選択部を有し、複数台の各画像形成装置を同期させながら画像形成を行う画像形成制御装置とを備えた画像形成システムにおいて、前記複数台の画像形成装置のうち１台以上の画像形成装置にて、複数の光源のうち１個以上の光源の故障が発生した場合に、選択可能な光源数の少ない画像形成装置の画像形成速度に合せて、各画像形成装置の光源の個数と配置を決定して画像形成を行うことを特徴とするものである。
【００１０】
本発明の第２の手段は、複数の光源と、任意の選択された光源を駆動可能な光源駆動部と、光源が故障したことを検知する故障検知部と、光の主走査方向の走査速度を可変可能な駆動部とを有し、１個以上の光源から出力された光により画像を形成する複数台の画像形成装置と、故障した光源の個数と配置に対応して使用する光源を選択する光源選択部と、選択した光源からの光の主走査方向の走査速度を可変可能な駆動部と、前記選択部により選択された光源の数に応じて光源を点灯させる画像信号の周波数を可変可能な画像周波数生成部を有し、複数台の画像形成装置を同期させながら画像形成を行う画像形成制御装置とを備えた画像形成システムにおいて、前記複数台の画像形成装置のうち１台以上の画像形成装置にて、複数の光源のうち１個以上の光源の故障が発生した場合に、各画像形成装置の選択可能な光源数に応じて、各画像形成装置の光の主走査方向の走査速度を可変させるとともに、光源を点灯させる画像信号の周波数を可変させることを特徴とするものである。
【００１１】
本発明の第３の手段は、前記第１または第２の手段において、前記光源の故障を検知したときに、故障した光源の個数、配置、画像形成装置番号をユーザに通知する通知手段と、画像形成システムの販売・製造メーカに通知する通知手段とを有することを特徴とするものである。
【発明の効果】
【００１２】
本発明は前述のような構成になっており、高速印刷，高稼働率，高画質の安定稼動を維持できる画像形成システムを提供することができる。
【発明を実施するための最良の形態】
【００１３】
本発明は、複数台の画像形成装置のうち１台以上の画像形成装置にて、複数の光源のうち１個以上の光源の故障が発生した場合に、１個以上の光源の故障が発生した場合に、光の主走査方向の走査速度と光源を点灯させる画像信号の周波数は変更せずに画像形成速度を遅くした画像形成装置に合せて各画像形成装置の光源数と配置を決定し、画像形成速度を遅くして画像形成を行うことを特徴とする。
【００１４】
また、複数台の画像形成装置のうち１台以上の画像形成装置にて、複数の光源のうち１個以上の光源の故障が発生した場合に、各画像形成装置の選択可能な光源数と配置に応じて、各画像形成装置の光の主走査方向の走査速度と各画像形成装置の光源を点灯させる画像信号の周波数を増大させて、画像形成速度を変更せずに画像形成を行うことを特徴とする。
【００１５】
また、故障した光源の個数、配置、画像形成装置番号をユーザに通知する通知手段と、画像形成システムの販売・製造・保守部門に通知する通知手段とを有することを特徴とする。
【００１６】
従って、複数台の各画像形成装置からなる画像形成システムにおいて任意の光出力を得られないといった故障が発生した場合にも安定稼動を維持するという目的を、故障していない光源を用いて画像形成を行うことにより実現できる。
【実施例１】
【００１７】
画像形成装置システムは、複数台の画像形成装置と複数台の画像形成装置を同期させながら画像形成を行う画像形成制御装置により構成する。複数台のうち１台以上により印刷媒体Ｗの表面を印刷して、他の１台以上により裏面を印刷する構成とする場合、複数台すべてにより印刷媒体Ｗの表面を印刷する構成とする場合、複数台すべてにより裏面を印刷する構成とする場合の画像形成装置システムがある。
【００１８】
図２は、画像形成装置のひとつである電子写真式印刷装置Ｐ１，Ｐ２と画像形成制御装置Ｃにより構成する画像形成装置の概略構成図である。先頭の電子写真式印刷装置Ｐ１により表面を印刷して、送り出されてきた印刷媒体Ｗの表裏は反転装置Ｔによって反転され、後続の電子写真式印刷装置Ｐ２に送り込まれて印刷媒体Ｗの裏面に印刷する例を示している。
【００１９】
図３は、電子写真式印刷装置単体の概略構成図である。印刷媒体Ｗは、搬送ローラ３０８,３０９によって印写部３１０へ送り込まれる。印写部３１０には、像担持体として例示される感光体ドラム３０１が回転を開始すると、コロナ帯電器３０２に高電圧が印加され、感光体ドラム３０１表面は均一に帯電される。光走査装置３０３から出力された光は、感光体ドラム３０１上を像露光し、感光体ドラム３０１上に静電潜像を形成する。この静電潜像を保持した感光体ドラム領域が現像装置３０４と対向する位置に到達すると、静電潜像に現像剤が供給され、感光体ドラム３０１上にトナー像が形成される。感光体ドラム３０１上に形成されたトナー像は、印刷媒体Ｗの背面側にトナー像と逆極性の電荷を付与する転写器３０５の作用によって印刷媒体Ｗ上に吸引される。
【００２０】
上記のようにして印写部３１０からトナー像が転写された印刷媒体Ｗは、搬送ベルト３１１によって後段へと搬送される。ここで、搬送ローラ３０８は駆動源を持つ駆動ローラとして設けられており、搬送ローラ３０９はバネ３０９ａの弾性力によって印刷媒体Ｗを介して搬送ローラ３０８に圧接された従動ローラとして設けられている。また、搬送ベルト３１１は、駆動ローラ３１１ａと従動ローラ３１１ｂに掛け渡して支持されるとともに、吸引装置（図示せず）を備えた構成となっており、印刷媒体Ｗの背面を搬送ベルト３１１上に吸着させた状態で搬送するように構成されている。
【００２１】
搬送ベルト３１１から送り出された印刷媒体Ｗは、バッファプレート３１２を経て定着装置３１３に搬送される。定着装置３１３に到達した印刷媒体Ｗは、プレヒータ３１３ａで予熱された後、加熱ローラ３１３ｂと加圧ローラ３１３ｃからなる一対の定着ローラによって形成されるニップ部によって加熱加圧されながら挟持搬送され、トナー像が印刷媒体Ｗに溶融定着される。加熱ローラ３１３ｂと加圧ローラ３１３ｃによって送り出されてきた印刷媒体Ｗは、送り出しローラ３１４を経るとともに、通常は、スイングフィン３１５の振り子動作によって交互に折り分けられ、電子写真式印刷装置Ｐ内で折りたたまれて積み重ねられる。
【００２２】
これに対し、印刷システムを構成すべく当該電子写真式印刷装置Ｐの後段にもう１台の電子写真式印刷装置を配置させた場合には、加熱ローラ３１３ｂと加圧ローラ３１３ｃによって送り出されてきた印刷媒体Ｗは、送り出しローラ３１４を経て図３に破線で示すように電子写真式印刷装置Ｐの外へと排出され、２台目の電子写真式印刷装置（図示せず）に向けて搬送される。
【００２３】
図１は本発明の実施例１を示した図であり、画像形成装置が２台設置された画像形成装置システムの構成図である。電子写真式印刷装置Ｐ１，Ｐ２の光源としてレーザを使用した場合の光走査装置（図３の３０３と同一）の詳細な構成と、電子写真式印刷装置Ｐ１，Ｐ２の制御部１１０および１６０（以下、制御部１１０（１６０）のように電子写真式印刷装置Ｐ２の各部位は（）内に示す）と、画像形成制御装置の制御部１２０と、画像信号生成部１２１等を備えている。
【００２４】
電子写真式印刷装置の制御部１１０（１６０）は、ＣＰＵ、メモリ、タイマ、アナログデジタル変換器等により構成されており、電子写真式印刷装置の制御全般を行う。光走査装置は、レーザ光源１０１（１５１）、回転多面鏡１０２（１５２）、Ｆθレンズ１０３（１５３）、走査光検出器１０５（１５５）、感光体ドラム１０６（１５６）、回転多面鏡モータ１０７（１５７）、回転多面鏡モータ駆動部１１１（１６１）、レーザ制御部１１２（１６２）等から構成されている。レーザ制御部１１２（１６２）は、画像信号入力部１１３（１６３）、レーザ駆動部１１４（１６４）、レーザ故障検知部１１５（１６５）等から構成される。画像形成制御装置は、制御部１２０と画像信号生成部１２１から構成されている。画像信号生成部１２１は、画像展開部１２２、画像信号出力部１２３、周波数設定部１２４等から構成される。
【００２５】
正常時の動作について説明を行う。画像形成制御装置の制御部１２０は、電子写真式印刷装置Ｐ１，Ｐ２の制御部１１０（１６０）にレーザ光源番号、印刷速度、画像信号周波数、回転多面鏡の回転速度を設定して印刷指示を行う。なお、指示された回転多面鏡の回転速度と回転多面鏡の面数により光の主走査方向の速度が決定する。また、画像形成制御装置の画像信号生成部１２１の画像展開部１２２では、ホストコンピュータ等からの画像情報からドットイメージに変換された文字データや図形データに展開を行い、周波数設定部１２３では画像信号の周波数を設定する。周波数は、あらかじめ準備された複数の周波数から選択する方法、ＰＬＬ周波数シンセサイザ回路により周波数を設定する方法等により設定する。
【００２６】
電子写真式印刷装置Ｐ１，Ｐ２の制御部１１０（１６０）は、設定された回転多面鏡の回転速度での動作を回転多面鏡モータ駆動部１１１（１６１）に指示し、回転多面鏡モータ駆動部１１１（１６１）は回転多面鏡１０２（１５２）が固定されている回転多面鏡モータ１０７（１５７）の駆動を行う。走査光検出器１０５（１５５）は、感光体ドラム１０６（１５６）と光学的に等しい距離で、かつ、主走査方向に対し感光体ドラム１０６（１５６）より前にレーザビームが照射される位置に設置されており、走査光検出信号（水平同期信号の原信号）を生成するとともに、走査光が感光体ドラム１０６（１５６）上を走査する際、画像形成制御装置からの画像信号の副走査方向の送信開始位置（印刷開始位置）を決定する。回転多面鏡の回転速度が設定値に到達すると、制御部１１０（１６０）は、走査光検出器１０５（１５５）からの走査光検出信号より生成された水平同期信号または源信号を画像形成制御装置の画像信号生成部１２０に送信する。
【００２７】
画像形成制御装置の画像信号生成部１２０では、送信された水平同期信号と同期して、周波数設定部１２３にて設定された周波数にて生成された画像信号を画像信号出力部１２２からレーザ制御部１１２（１６２）の画像信号入力部１１３（１６３）へ送信する。電子写真式印刷装置Ｐ１，Ｐ２のレーザ制御部１１２（１６２）では、画像形成制御装置から送信された画像信号に従ってレーザ駆動部１１４（１６４）よりレーザ光源１０１（１５１）の駆動を行なわれる。レーザ駆動部１１４では、常にレーザ光源１０１（１５１）に内蔵されたフォトダイオードを流れる電流をモニタしており、フォトダイオードにより検出される各レーザの光量が一定値になるようにレーザ駆動電流を変化させて制御している。複数のレーザ光源１０１（１５１）から出射した複数本のレーザビームは、回転多面鏡１０２（１５２）で反射し、Ｆθレンズ１０３（１５３）を通じて感光体ドラム１０６（１５６）（図３の３０１と同一）上を走査しながら照射される。このとき、ドットイメージに変換された文字データや図形データが画像信号（レーザビームのＯＮ／ＯＦＦ信号）となり、感光体ドラム１０６（１５６）の表面にレーザビームが照射される部分と照射されない部分とが形成され、いわゆる静電潜像が形成される。
【００２８】
故障時の動作について、電子写真式印刷装置Ｐ１のレーザ光源１０１が４本のレーザ（副走査方向順にＰ１−Ｌ１、Ｐ１−Ｌ２、Ｐ１−Ｌ３、Ｐ１−Ｌ４とする。）から構成され、電子写真式印刷装置Ｐ２のレーザ光源１５１が４本のレーザ（副走査方向順にＰ２−Ｌ１、Ｐ２−Ｌ２、Ｐ２−Ｌ３、Ｐ２−Ｌ４とする。）から構成され、電子写真式印刷装置Ｐ１のレーザ光源１０１には２本（Ｐ１−Ｌ１、Ｐ１−Ｌ２）の故障があり、電子写真式印刷装置Ｐ２のレーザ光源１５１には故障がなく、使用可能なレーザ光源が少ない電子写真式印刷装置Ｐ１のレーザ光源数に合せて、画像信号周波数、回転多面鏡の回転速度（光の主走査方向の走査速度）を変更せずに印刷速度を下げて印刷を行う場合を例として説明を行う。
【００２９】
制御部１１０（１６０）では常時レーザ光源の故障判断を行っており、レーザ故障検知部１１５（１６５）からの故障したレーザ配置と個数を示す故障検知信号を検知した場合、または、走査光検出器１０５（１５５）により生成された走査光検出信号の信号レベルが規定値範囲外となった場合に故障と判断する。レーザ故障検知部１１５（１６５）では、常に各レーザの駆動電流を規定値と比較して、レーザ駆動電流が規定値範囲外となった場合にレーザ故障と判断する。
【００３０】
印刷中に電子写真式印刷装置Ｐ１のレーザ光源１０１の２本（Ｐ１−Ｌ１、Ｐ１−Ｌ２）の故障が発生した場合、一時的に印刷を停止するとともに画像形成制御装置に故障状況を報告する。画像形成制御装置は故障報告を受けると、電子写真式印刷装置Ｐ２に停止指示を行い電子写真式印刷装置Ｐ２は一時的に停止させる。
【００３１】
次に、画像形成制御装置は、下記にしたがい使用するレーザ光源番号と印刷速度を決定して、電子写真式印刷装置Ｐ１、Ｐ２の制御部１１０（１６０）に指示する。
【００３２】
電子写真式印刷装置Ｐ１のレーザ光源１０１の２本（Ｐ１−Ｌ１、Ｐ１−Ｌ２）の故障状況から、電子写真式印刷装置Ｐ１の使用するレーザ光源をＰ１−Ｌ３、Ｐ１−Ｌ４とし、電子写真式印刷装置Ｐ２の使用するレーザ光源をＰ２−Ｌ１、Ｐ２−Ｌ２と決定する。なお、電子写真式印刷装置Ｐ２の使用するレーザ光源は連続するレーザ光源であるＰ２−Ｌ２、Ｐ２−Ｌ３またはＰ２−Ｌ３、Ｐ２−Ｌ４の組合せでも良い。故障時の印刷速度は、下式により決定する。
（故障時の印刷速度）＝{正常時の印刷速度×（使用するレーザ光源数／正常時のレーザ光源数）}
電子写真式印刷装置Ｐ１、Ｐ２では、回転多面鏡の回転速度（光の主走査方向の走査速度）を変更せずに、指示されたレーザ光源番号、印刷速度に合せて、制御部１１０（１６０）より感光体ドラム３０１、コロナ帯電器３０２、現像装置３０４、転写器３０５、搬送ローラ３０８、３０９、搬送ベルト３１１、駆動ローラ３１１ａ、従動ローラ３１１ｂ、バッファプレート３１２、プレヒータ３１３ａ、加熱ローラ３１３ｂ、加圧ローラ３１３ｃ等の各部の制御条件を変更して印刷を再開する。なお、電源投入時にも故障判断は行っており、故障検出時には同様な制御を行う。
【００３３】
また上記の故障時には、故障したレーザ光源の個数、配置、画像形成装置番号および故障部位の交換依頼を画像形成装置または画像形成制御装置のデイスプレイ（図示せず）、または、ホストコンピュータ上に表示することによりユーザに通知する。また、画像形成装置または画像形成制御装置またはホストコンピュータを各種のネットワークに接続することにより、画像形成システムの販売・製造・保守部門に同様の通知を行い、早急な故障部位の交換対応を行う。
【実施例２】
【００３４】
次に実施例２について説明する。実施例１と同様に、電子写真式印刷装置Ｐ１のレーザ光源１０１が４本のレーザ（副走査方向順にＰ１−Ｌ１、Ｐ１−Ｌ２、Ｐ１−Ｌ３、Ｐ１−Ｌ４とする。）から構成され、電子写真式印刷装置Ｐ２のレーザ光源１５１が４本のレーザ（副走査方向順にＰ２−Ｌ１、Ｐ２−Ｌ２、Ｐ２−Ｌ３、Ｐ２−Ｌ４とする。）から構成され、電子写真式印刷装置Ｐ１のレーザ光源１０１には２本（Ｐ１−Ｌ１、Ｐ１−Ｌ２）の故障があり、電子写真式印刷装置Ｐ２のレーザ光源１５１には故障がなく、使用可能なレーザ光源が少ない電子写真式印刷装置Ｐ１のレーザ光源数に合せて、画像信号周波数、回転多面鏡の回転速度（光の主走査方向の速度）を上げて、印刷速度を変更せずに印刷を行う場合を例として説明を行う。
【００３５】
制御部１１０（１６０）では、常時レーザ光源の故障判断を行っており、レーザ故障検知部１１５（１６５）からの故障したレーザ配置と個数を示す故障検知信号を検知した場合、または、走査光検出器１０５（１５５）により生成された水平同期信号の信号レベルが規定値範囲外となった場合に故障と判断する。レーザ故障検知部１１５（１６５）では、常に各レーザの駆動電流を規定値と比較して、レーザ駆動電流が規定値範囲外となった場合にレーザ故障と判断して、制御部１１０（１６０）に故障したレーザ数と配置を示す故障検知信号を送信する。
【００３６】
印刷中に電子写真式印刷装置Ｐ１のレーザ光源１０１の２本（Ｐ１−Ｌ１、Ｐ１−Ｌ２）の故障が発生した場合、一時的に印刷を停止するとともに画像形成制御装置に故障状況を報告する。画像形成制御装置は故障報告を受けると、電子写真式印刷装置Ｐ２に停止指示を行い電子写真式印刷装置Ｐ２は一時的に停止させる。
【００３７】
次に、画像形成制御装置は、下記にしたがい使用するレーザ光源番号、画像信号周波数、回転多面鏡の回転速度（光の主走査方向の速度）を決定して、電子写真式印刷装置Ｐ１、Ｐ２の制御部１１０（１６０）に指示する。
【００３８】
電子写真式印刷装置Ｐ１のレーザ光源１０１の２本（Ｐ１−Ｌ１、Ｐ１−Ｌ２）の故障状況から、電子写真式印刷装置Ｐ１の使用するレーザ光源をＰ１−Ｌ３、Ｐ１−Ｌ４とし、電子写真式印刷装置Ｐ２の使用するレーザ光源をＰ２−Ｌ１、Ｐ２−Ｌ２と決定する。なお、電子写真式印刷装置Ｐ２の使用するレーザ光源は連続するレーザ光源であるＰ２−Ｌ２、Ｐ２−Ｌ３またはＰ２−Ｌ３、Ｐ２−Ｌ４の組合せでも良い。画像信号周波数、回転多面鏡の回転速度（光の主走査方向の速度）は、使用するレーザ光源数から下記の式により決定する。
（故障時の画像信号周波数）＝{正常時の画像信号周波数×（正常時のレーザ光源数／使用するレーザ光源数）}
（故障時の回転多面鏡の回転速度）＝{正常時の回転多面鏡の回転速度×（正常時のレーザ光源数／使用するレーザ光源数）}
電子写真式印刷装置Ｐ１、Ｐ２では、レーザ駆動部１１４（１６４）から指示されたレーザ光源番号のレーザ駆動を行い、回転多面鏡モータ駆動部１１１（１６１）により指示された回転多面鏡の回転速度（光の主走査方向の速度）に合せて、周波数の高くなった画像信号にて、印刷速度は変更せず印刷を再開する。
【００３９】
なお、印刷速度の変更がないため、感光体ドラム３０１、コロナ帯電器３０２、現像装置３０４、転写器３０５、搬送ローラ３０８、３０９、搬送ベルト３１１、駆動ローラ３１１ａ、従動ローラ３１１ｂ、バッファプレート３１２、プレヒータ３１３ａ、加熱ローラ３１３ｂ、加圧ローラ３１３ｃ等の各部の制御条件の変更は行わない。なお、電源投入時にも故障判断は行っており、故障検出時には同様な制御を行う。
【００４０】
また上記の故障時には、故障したレーザ光源の個数、配置、画像形成装置番号および故障部位の交換依頼を画像形成装置または画像形成制御装置のデイスプレイ（図示せず）、または、ホストコンピュータ上に表示することによりユーザに通知する。また、画像形成装置または画像形成制御装置またはホストコンピュータを各種のネットワークに接続することにより、画像形成システムの販売・製造・保守部門に同様の通知を行い、早急な故障部位の交換対応を行う。
【図面の簡単な説明】
【００４１】
【図１】本発明の実施例に係る画像形成装置システムの構成図である。
【図２】本発明の実施例に係る画像形成装置の概略構成図である。
【図３】本発明の実施例に係る印刷装置単体の概略構成図である。
【符号の説明】
【００４２】
１０１，１５１はレーザ光源、１０２，１５２は回転多面鏡、１０３，１５３はＦθレンズ、１０４，１５４は走査光検出器、１０５，１５５，３０１は感光体ドラム、１０６，１５６は回転多面鏡モータ、１１０，１６０は制御部、１１１，１６１は回転多面鏡モータ駆動部、１１２，１６２はレーザ制御部、１１３，１６３は画像信号入力部、１１４，１６４はレーザ駆動部、１１５，１６５はレーザ故障検知部、１２０は制御部、１２１は画像信号生成部、１２２は画像展開部、１２３は周波数設定部、３０２はコロナ帯電器、３０３は光走査装置、３０４は現像装置、３０５は転写器、３０８，３０９は搬送ローラ、３０９ａはバネ、３１０は印写部、３１１は搬送ベルト、３１１ａは駆動ローラ、３１１ｂは従動ローラ、３１２はバッファプレート、３１３は定着装置、３１３ａはプレヒータ、３１３ｂは加熱ローラ、３１３ｃは加圧ローラ、３１４は送り出しローラ、３１５はスイングフィン、Ｃは画像形成制御装置、Ｐ１，Ｐ２は電子写真式印刷装置、Ｗは印刷媒体、Ｔは反転装置である。
【図１】
2010014990.tif 000003
【図２】
2010014990.tif 000004
【図３】
2010014990.tif 000005